(57)【要約】【課題】使用者が吸排気開口部の上方に被加熱物を無造作に載置して吸排気開口部を塞ぐ事態を防ぎ、加熱調理器の吸排気を十分に行うことができるカバーを備えた加熱調理器を提供する。【解決手段】加熱調理器は、上部が開口した箱形状の本体ケースと、本体ケースの上部開口を覆う天板部と、天板部の下方に配設された加熱手段と、本体ケースに間隔をあけて少なくとも２つ形成され、本体ケース内の部品を冷却するための冷却風を吸込み或いは排出する開口部と、開口部を覆うカバーと、を備えている。カバーは、開口部と対向する部分に設けられた複数の通気用の孔を有する通気孔部と、隣接する開口部間の領域と対向する部分に設けられた被加熱物用の載置部と、を有している。【選択図】図１
2018018667.tif 000002
【特許請求の範囲】
【請求項１】
上部が開口した箱形状の本体ケースと、
前記本体ケースの上部開口を覆う天板部と、
前記天板部の下方に配設された加熱手段と、
前記本体ケースに間隔をあけて少なくとも２つ形成され、前記本体ケース内の部品を冷却するための冷却風を吸込み或いは排出する開口部と、
前記開口部を覆うカバーと、を備え、
前記カバーは、前記開口部と対向する部分に設けられた複数の通気用の孔を有する通気孔部と、隣接する前記開口部間の領域と対向する部分に設けられた被加熱物用の載置部と、を有している、加熱調理器。
【請求項２】
前記載置部は、通気用の孔が形成されていない平板状である請求項１に記載した加熱調理器。
【請求項３】
前記載置部には、被加熱物を載置させる領域を示す表示部が設けられている請求項１又は２に記載の加熱調理器。
【請求項４】
前記天板部には、加熱手段の領域の位置を示す円形状の被加熱物の載置位置表示部が設けられており、
隣接する前記開口部は、前記載置位置表示部の外径以上の長さの間隔をあけて形成されている請求項１〜３のいずれか一項に記載の加熱調理器。
【請求項５】
前記カバーは、隣接する前記通気孔部の間において複数に分割されている請求項１〜４のいずれか一項に記載の加熱調理器。
【請求項６】
前記カバーは、前記開口部の開口面に対して前記通気孔部の上面が前記載置部の上面よりも高い構成である請求項１〜５のいずれか一項に記載の加熱調理器。
【発明の詳細な説明】
【技術分野】
【０００１】
本発明は、吸気口及び排気口を覆うカバーを備えた加熱調理器に関するものである。
【背景技術】
【０００２】
従来、誘導加熱コイルに高周波電流を流すことによって生じる高周波磁束で渦電流を誘起し、それによって発生するジュール熱で被加熱物の加熱を行う加熱調理器が知られている。この加熱調理器には、本体ケース内の部品を冷却するための冷却風を吸込み或いは排出する吸気口と排気口が設けられ、その吸気口と排気口を覆うカバーが本体ケースに取り付けられている。
【０００３】
このカバーは、例えば特許文献１又は２に開示されているように、通気性を有するパンチングメタル又は格子状の金属部材等で構成されており、通気性があり、冷却風の吸気及び排気の気流を通気抵抗が少なくスムースに通過させる。
【先行技術文献】
【特許文献】
【０００４】
【特許文献１】特開平１０−２１４６７７号公報
【特許文献２】特開２００２−２８０１５５号公報
【発明の概要】
【発明が解決しようとする課題】
【０００５】
上記構成の加熱調理器において、使用者は、加熱した鍋等の被加熱物を冷却するために、一時的にカバーの上面に被加熱物を無造作に置く場合がある。特許文献１及び２に開示された加熱調理器のように、カバーの全面に通気孔を有する構成では、使用者は吸気口及び排気口に対応する位置と、その他の位置との区別ができず、被加熱物を吸気口又は排気口の上方へ置くことがある。そのため、この加熱調理器では、載置された被加熱物によって吸気口又は排気口が塞がれてしまい、本体ケース内の部品の冷却が十分に行われず、故障の原因になっている。
【０００６】
本発明は、上記のような課題を解決するためになされたものであり、使用者が吸気口及び排気口として形成した開口部の上方に被加熱物を無造作に載置して開口部を塞ぐ事態を防ぎ、本体ケース内の吸排気を十分に行うことができるカバーを備えた加熱調理器を提供することを目的とする。
【課題を解決するための手段】
【０００７】
本発明に係る加熱調理器は、上部が開口した箱形状の本体ケースと、前記本体ケースの上部開口を覆う天板部と、前記天板部の下方に配設された加熱手段と、前記本体ケースに間隔をあけて少なくとも２つ形成され、前記本体ケース内の部品を冷却するための冷却風を吸込み或いは排出する開口部と、前記開口部を覆うカバーと、を備え、前記カバーは、前記開口部と対向する部分に設けられた複数の通気用の孔を有する通気孔部と、隣接する前記開口部間の領域と対向する部分に設けられた被加熱物用の載置部と、を有しているものである。
【発明の効果】
【０００８】
本発明に係る加熱調理器によれば、カバーは、開口部と対向する部分に設けられた複数の通気用の孔を有する通気孔部と、隣接する開口部間の領域と対向する部分に設けられた被加熱物用の載置部とを有しており、通気を行う部分と被加熱物を載置させる部分とを明確に区別しているので、使用者に被加熱物を載置させる場所へ誘導し、確実に被加熱物を載置部に載置させることができる。よって、本発明に係る加熱調理器は、使用者が開口部の上方に被加熱物を無造作に載置して開口部を塞ぐ事態を防ぐことができ、本体ケース内の吸排気を十分に行うことができる。
【図面の簡単な説明】
【０００９】
【図１】本発明の実施の形態１に係る加熱調理器であってカバーを取り付ける前の状態を示した斜視図である。
【図２】本発明の実施の形態１に係る加熱調理器であってカバーを取り付けた状態を示した斜視図である。
【図３】図２で指示したＸ−Ｘ線矢視の要部拡大断面図である。
【図４】本発明の実施の形態１に係る加熱調理器であってカバーの載置部に載置場所を示す表示部を設けた構成を示した斜視図である。
【図５】本発明の実施の形態２に係る加熱調理器であってカバーを取り付ける前の状態を示した斜視図である。
【図６】本発明の実施の形態２に係る加熱調理器であってカバーを取り付けた状態を示した斜視図である。
【図７】本発明の実施の形態２に係る加熱調理器であって異なる形態のカバーを取り付ける前の状態を示した斜視図である。
【図８】本発明の実施の形態２に係る加熱調理器であって異なる形態のカバーを取り付ける前の状態を示した斜視図である。
【図９】本発明の実施の形態２に係る加熱調理器であって図８に示したカバーを取り付けた状態を示した斜視図である。
【図１０】図９で指示したＹ−Ｙ線矢視の拡大断面図である。
【図１１】本発明の実施の形態３に係る加熱調理器であってカバーを取り付ける前の状態を示した斜視図である。
【図１２】本発明の実施の形態３に係る加熱調理器であってカバーを取り付けた状態を示した斜視図である。
【図１３】図１２で指示したＺ−Ｚ線矢視の拡大断面図である。
【発明を実施するための形態】
【００１０】
以下、図面を参照して、本発明の実施の形態について説明する。なお、各図中、同一または相当する部分には、同一符号を付して、その説明を適宜省略または簡略化する。また、各図に記載の構成について、その形状、大きさ、及び配置等は、本発明の範囲内で適宜変更することができる。
【００１１】
実施の形態１．
図１は、本発明の実施の形態１に係る加熱調理器であってカバーを取り付ける前の状態を示した斜視図である。図２は、本発明の実施の形態１に係る加熱調理器であってカバーを取り付けた状態を示した斜視図である。図３は、図２で指示したＸ−Ｘ線矢視の要部拡大断面図である。実施の形態１に係る加熱調理器１００は、誘導加熱コイルに高周波電流を流すことによって生じる高周波磁束で渦電流を誘起し、それによって発生するジュール熱で被加熱物の加熱を行う、据え置き型あるいはビルトイン型の誘導加熱調理器である。加熱調理器１００は、図１及び図２に示すように、上部が開口した箱形状の本体ケース１と、本体ケース１の上部開口を覆う天板部２と、天板部２の下方に配設された加熱手段３と、本体ケース１に間隔をあけて２つ形成され、本体ケース１内の部品を冷却するための冷却風を吸込み或いは排出する開口部６、７と、開口部６、７を覆うカバー４と、を備えている。
【００１２】
本体ケース１の内部には、加熱手段３として電磁誘導加熱コイル（以下、加熱コイルという）と、この加熱コイルの電力を制御する制御基板と、制御基板及び加熱コイル等を冷却するための冷却風を発生させる冷却装置（冷却ファン）等が配置されている。本体ケース１の上面には、本体ケース１の一部として、ステンレス材等の錆難く剛性を持った素材で構成された支持枠５が着脱自在に取り付けられており、支持枠５の中央に天板部２、前面側に副操作部８ａがそれぞれ配置されている。副操作部８ａは、加熱調理器１００における加熱動作の設定を受け付けるための操作ボタン及びスイッチ等で構成されている。支持枠５の背面側には、本体ケースの１内部と連通する開口部として、本体ケース１の内部に空気を取り込むための吸気口６と、本体ケース１の内部に取り込んだ空気を排気するための排気口７とが形成されている。なお、本体ケース１の前面には、一例としてグリル扉９と、グリル扉９に隣接して設けられた主操作部８ｂとを備えている。
【００１３】
天板部２は、平板形状に形成された例えば耐熱性ガラス又はセラミック等の非金属材料で構成され、本体ケース１の上面の開口に設けられている。天板部２は、シリコン接着剤等によって外縁が支持枠５に接着され、支持枠５と一体化されている。天板部２の上面には、被加熱物の載置位置を示す載置位置表示部２ａ、２ｂ、２ｃが印刷等により表示されている。これらの載置位置表示部２ａ、２ｂ、２ｃの下方には、加熱手段である加熱コイルが対向して配置されている。なお、載置位置表示部２ａ、２ｂ、２ｃは、図示した印刷等による表示に限らず、例えば電源を入れると光って載置位置を表示する構成でもよい。
【００１４】
加熱手段３は、本体ケース１内に配置された例えば３つの加熱コイルからなり、これらの加熱コイルの電力を制御する制御基板によって制御される。なお、加熱源として３つの加熱コイルを用いているが、全てを加熱コイルとする必要は無く、例えば、載置位置表示部２ａ、２ｂ、２ｃの下方にラジエントヒーターを設置しても良い。また、加熱コイルを３つとしているが、加熱コイルを２つあるいは４つとしても良い。
【００１５】
吸気口６と排気口７は、それぞれ略長方形状をなし、図３に示すように、支持枠５の背面側であって若干凹ませた絞り部５０に形成されている。吸気口６と排気口７は、載置位置表示部２ａ、２ｂ、２ｃの外径以上の大きさの間隔をあけて配置されている。具体的には、載置位置表示部２ａ、２ｂ、２ｃのうち、最も大きい外径である載置位置表示部２ａの外径Ｂ以上の間隔をあけて形成されている。そして、吸気口６及び排気口７は、支持枠５の上面に取り付けられた１枚のカバー４によって共通に覆われている。なお、詳細に図示することは省略したが、開口部６、７は、図示した２つに限定されない。例えば、支持枠５の背面側において、中央に排気口を設け、その両側に吸気口をそれぞれ設けた構成でもよい。また、２つの開口部６、７は、両方とも排気口又は両方とも吸気口とした構成でもよく、種々の態様で実施するものとする。
【００１６】
カバー４は、略長方形状の平板状の金属材から成り、支持枠５の背面側に設けられた絞り部５０に着脱自在に取り付けられて吸気口６及び排気口７を覆い、吸気口６及び排気口７の中に使用者の指又は異物等が入り込まないようにするために設けられている。このカバー４は、図１及び図２に示すように、吸気口６及び排気口７と対向する部分に設けられた複数の通気用の孔を有する通気孔部４０、４０と、吸気口６と排気口７との間の領域と対向する部分に設けられた被加熱物用の載置部４１と、を有している。カバー４は、載置部４１に載置させた被加熱物の安定性を高めるため、上面が天板部２の上面と略面一となるように配置されている。
【００１７】
通気孔部４０、４０は、間隔を開けて形成された吸気口６及び排気口７のそれぞれと対向する部分に設けられており、吸排気するために利用される。図１及び２に示す実施の形態１の場合は、吸気口６と排気口７が、それぞれ１箇所ずつ支持枠５に設けられた構成であるため、通気孔部４０が２箇所設けられているが、吸気口６及び排気口７が３箇所以上設けられている場合には、吸気口６及び排気口７と同じ個数だけ設けるものとする。また、図３に示すように、通気孔部４０は、複数の通気孔を設けた範囲Ｄが、吸気口６又は排気口７の対向する範囲Ｃに設けられていればよく、通気孔を設けた範囲Ｄが吸気口６又は排気口７の開口面よりも多少広い範囲を有していてもよい。また、図１及び図２に示した通気孔部４０は、円形状の通気孔を複数有する構成を示しているが、例えば格子状に設けられた構成でもよく、図示した実施の形態に限定されない。
【００１８】
載置部４１は、左右の通気孔部４０、４０の間に設けられ、通気孔を有さないフラットな面とした構成である。通気孔部４０、４０間における載置部４１の寸法Ａは、吸気口６と排気口７との間隔と同じく、載置位置表示部２ａ、２ｂ、２ｃのうち、最も大きい外径である載置位置表示部２ａの外径Ｂ以上である。載置部４１に載せた被加熱物が、載置部４１からはみ出て通気孔部４０の通気孔の一部を塞がないようにするためである。
【００１９】
図４は、本発明の実施の形態１に係る加熱調理器であってカバーの載置部に載置場所を示す表示部を設けた構成を示した斜視図である。載置部４１の上面には、使用者に被加熱物の載置場所を示すために、被加熱物を載置させる領域を示す表示部４２を設けてもよい。表示部４２は、例えば文字又は領域線等を刻印又は印刷して設けられる。文字表示としては、一例を図４に示すように「載置可領域」等のメッセージである。領域線としては、通気孔部４０と載置部４１との境界に、例えば縦のラインを設けたり、載置部４１の領域を囲う囲い線を設けたりする。なお、載置部４１には、必ずしも文字又は領域線等の表示部４２を設ける必要はなく、通気孔を有さないフラットな面であることでも十分に、使用者に被加熱物の載置場所を示すことができる。
【００２０】
上述したように、実施の形態１の加熱調理器１００は、カバー４が、開口部６、７の上方に通気用の孔を有する通気孔部４０と、被加熱物用の載置部４１と、を有しており、通気孔部４０と載置部４１とを明確に区別しているので、使用者に被加熱物を載置させる場所へ誘導し、確実に被加熱物を載置部４１に載置させることができる。つまり、実施の形態１の加熱調理器１００は、使用者が、加熱した鍋等の被加熱物を冷却するために、一時的にカバー４の上面に被加熱物を無造作に置く場合があっても、被加熱物を通気孔部４０の上面に置いて吸気口６及び排気口７が塞がれる事態を防ぐことができ、本体ケース１内の吸排気を良好に行うことができる。
【００２１】
また、実施の形態１の加熱調理器１００によれば、載置部４１には、被加熱物を載置させる領域を示す表示部４２が設けられているので、使用者に注意を促すことができ、被加熱物を通気孔部４０の上面に置いて吸気口６及び排気口７が塞がれる事態をより効果的に防ぐことができる。
【００２２】
また、実施の形態１の加熱調理器１００によれば、天板部２には、加熱手段の領域の位置を示す円形状の被加熱物の載置位置表示部２ａ、２ｂ、２ｃが設けられており、吸気口６及び排気口７は、載置位置表示部２ａ、２ｂ、２ｃの外径以上の長さの間隔をあけて形成されているので、対応するカバー４の載置部４１も載置位置表示部２ａ、２ｂ、２ｃの外径以上の長さ寸法で形成される。即ち、載置部４１に載せた被加熱物が、載置部４１からはみ出て通気孔部４０の通気孔の一部を塞ぐ事態を防ぐことができる。
【００２３】
実施の形態２．
次に、本発明の実施の形態２に係る加熱調理器を図５及び６に基づいて説明する。図５は、本発明の実施の形態２に係る加熱調理器であってカバーを取り付ける前の状態を示した斜視図である。図６は、本発明の実施の形態２に係る加熱調理器であってカバーを取り付けた状態を示した斜視図である。なお、実施の形態１で説明した加熱調理器１００と同一の構成について、同一の符号を付して、その説明を適宜省略する。
【００２４】
実施の形態２の加熱調理器１００は、図５及び６に示すように、カバー４が、載置部４１の中間部分で二分割された左右対称の２つのカバー４Ａ、４Ｂで構成されている。各カバー４Ａ、Ｂは、それぞれ吸気口６又は排気口７と対向する部分に設けられた複数の通気用の孔を有する通気孔部４０と、吸気口６と排気口７との間の領域と対向する部分に設けられた被加熱物用の載置部４１と、を有している。各カバー４Ａ、４Ｂは、図６に示すように、載置部４１側における端部を対向させて、支持枠５の上面に取り付けられている。なお、支持枠５の上面に取り付けられた各カバー４Ａ、４Ｂの上面は、略面一としている。
【００２５】
図５及び６に示した実施の形態２の加熱調理器１００は、カバー４が、隣接する通気孔部４０、４０の間において分割されているので、支持枠５に対して取り付け又は取り外し作業が容易になり、汚れた部分のカバー４Ａ、４Ｂのみを取り外して洗浄することができるので清掃性を向上させることができ、使い勝手に優れている。また、カバー４の一部が破損等した場合には、破損した部分のカバー４Ａ、４Ｂのみを新しいカバーと交換することができるので経済的である。更に、図５及び６に示したカバー４では、分割した２つのカバー４Ａ、４Ｂが左右対称なので、部品の共通化を図ることができ、製造が容易で生産性を高めることができる。
【００２６】
図７は、本発明の実施の形態２に係る加熱調理器であって異なる形態のカバーを取り付ける前の状態を示した斜視図である。図７に示したカバー４は、通気孔部４０と載置部４１の境目で二分割した２つのカバー４Ａ、４Ｂで構成されている。二分割された２つのカバー４Ａ、４Ｂのうち、吸気口６に設置される一方のカバー４Ａは、通気孔部４０と載置部４１を組み合わせて構成され、排気口７に設置される他方のカバー４Ｂは、通気孔部４０のみで構成されている。つまり、図７に示したカバー４も、支持枠５に対して取り付け又は取り外し作業が容易になるし、汚れた部分のカバー４Ａ、４Ｂのみを取り外して洗浄することができるので清掃性を向上させることができ、使い勝手に優れている。また、カバー４の一部が破損等した場合には、破損した部分のカバー４Ａ、４Ｂのみを新しいカバーと交換することができるので経済的である。更に、カバー４Ａ、４Ｂは、通気孔部４０と載置部４１との境目で分割した構成なので、被加熱物を安定させて載置させることができる。
【００２７】
図８は、本発明の実施の形態２に係る加熱調理器であって異なる形態のカバーを取り付ける前の状態を示した斜視図である。図９は、本発明の実施の形態２に係る加熱調理器であって図８に示したカバーを取り付けた状態を示した斜視図である。図１０は、図９で指示したＹ−Ｙ線矢視の拡大断面図である。図８〜１０に示したカバー４は、通気孔部４０と載置部４１の境目で三分割された３つのカバー４Ａ、４Ｂ、４Ｃで構成されている。三分割された３つのカバー４Ａ、４Ｂ、４Ｃのうち、吸気口６及び排気口７に設置されるカバー４Ａ、４Ｃは通気孔部４０のみで構成され、吸気口６と排気口７との間の領域に設置されるカバー４Ｃは、載置部４１のみで構成されている。なお、支持枠５の上面に取り付けられた各カバー４Ａ、４Ｂ、４Ｃの上面は、略面一としている。
【００２８】
なお、詳細に図示することは省略したが、カバー４は、本体ケース１の前面に設けたグリル扉９と、グリル扉９に隣接して設けられた主操作部８ｂとの境界線に合わせて分割することもでき、統一感を図って意匠性を高めた構成としてもよい。また、カバー４を隣接する通気孔部４０、４０の間において４分割以上とした構成でもよく、本体ケース１の大きさ若しくは形状、又は開口部６、７の大きさ若しくは形状に合わせて適宜変更して分割するものとする。
【００２９】
実施の形態３．
次に、本発明の実施の形態３に係る加熱調理器を図１１〜１３に基づいて説明する。図１１は、本発明の実施の形態３に係る加熱調理器であってカバーを取り付ける前の状態を示した斜視図である。図１２は、本発明の実施の形態３に係る加熱調理器であってカバーを取り付けた状態を示した斜視図である。図１３は、図１２で指示したＺ−Ｚ線矢視の拡大断面図である。なお、実施の形態１で説明した加熱調理器１００と同一の構成について、同一の符号を付して、その説明を適宜省略する。
【００３０】
実施の形態３の加熱調理器１００は、吸気口６及び排気口７の開口面に対して、通気孔部４０の上面が載置部４１の上面よりも高いカバー４を有する構成である。具体的には、カバー４は、通気孔部４０と載置部４１の境目で三分割された３つのカバー４Ａ、４Ｂ、４Ｃで構成されている。三分割された３つのカバー４Ａ、４Ｂ、４Ｃのうち、吸気口６及び排気口７に設置されるカバー４Ａ、４Ｃは、下面に開口を有する箱型形状をなし、上面には複数の通気用の孔を有する通気孔部４０が設けられている。一方、吸気口６と排気口７との間の領域に設置されるカバー４Ｃは、載置部４１のみで構成されている。吸気口６及び排気口７に設置されるカバー４Ａ、４Ｃは、その上面が吸気口６と排気口７とに間の領域に設置されるカバー４Ｃの上面よりも、一例として１０ｃｍ程度高い構成としている。一方、カバー４Ｃは、上面の高さが天板部２の上面と略面一となるように構成している。なお、実施の形態３の加熱調理器１００のカバー４Ａ、４Ｂ、４Ｃは、図１１〜１３に示した３分割に限らず、２分割以上とした構成でもよい。また、カバー４Ａ、４Ｂ、４Ｃは、分割することなく一枚の金属板を矩形状に折り曲げて形成した構成でもよい。
【００３１】
したがって、実施の形態３の加熱調理器１００によれば、開口部６、７の開口面に対してカバー４の通気孔部４０、４０の上面が、載置部４１の上面よりも高い構成なので、使用者に、より明確に被加熱物の載置位置を示すことができ、被加熱物を載置させる場所を誘導する効果を更に高めることができる。よって、使用者が、加熱した鍋等の被加熱物を冷却するために、一時的にカバー４の上面に被加熱物を無造作に置く場合があっても、被加熱物を通気孔部４０の上面に置いて吸気口６及び排気口７が塞がれる事態を防ぐことができ、本体ケース１内の吸排気を良好に行うことができる。また、カバー４は、載置部４１の上面の高さを天板部２の上面に近づけることで、載置部４１に載せた被加熱物の安定性を確保することができる。一方、カバー４は、通気孔部４０の上面の高さを高くして、吸気口６及び排気口７から遠ざけることで、圧力損失が少なくなり冷却性能を向上させることができる。
【００３２】
以上の各実施の形態において、支持枠５に開口する開口部６、７をそれぞれ吸気口６、排気口７として説明したが、いずれの開口も排気口７としてもよい。この場合、吸気口は、本体ケース１の後面又は前面に設けられる。
【符号の説明】
【００３３】
１  本体ケース、２  天板部、２ａ、２ｂ、２ｃ  載置位置表示部、３  加熱手段、４、４Ａ、４Ｂ、４Ｃ  カバー、５  支持枠、６  吸気口（開口部）、７  排気口（開口部）、８ａ  副操作部、８ｂ  主操作部、９  グリル扉、４０  通気孔部、４１  載置部、４２  表示部、５０  絞り部、１００  加熱調理器。
【図１】
2018018667.tif 000003
【図２】
2018018667.tif 000004
【図３】
2018018667.tif 000005
【図４】
2018018667.tif 000006
【図５】
2018018667.tif 000007
【図６】
2018018667.tif 000008
【図７】
2018018667.tif 000009
【図８】
2018018667.tif 000010
【図９】
2018018667.tif 000011
【図１０】
2018018667.tif 000012
【図１１】
2018018667.tif 000013
【図１２】
2018018667.tif 000014
【図１３】
2018018667.tif 000015